(57)【要約】【目的】葬祭用具、特に祭壇の花菓子又は棺桶を装飾するための人造の花，草，木を簡易且つ迅速に装着する葬祭用装飾具を提供すること。【構成】発泡合成樹脂にて形成され、且つ表面部１と裏面部２とからなること。表面部１は所定の厚さを有する立体状の花形又は草形とすること。前記裏面部２は平坦面とすること。前記裏面部２には、両面粘着テープ２１が装着されること。また、前記裏面部２は花菓子台に貼着されること。さらに、また前記裏面部２が棺桶に貼着されること。【選択図】      図１
0003168679.tif 000002
【実用新案登録請求の範囲】
【請求項１】
発泡合成樹脂にて形成され、且つ表面部と裏面部とからなり、前記表面部は所定の厚さを有する立体状の花形又は草形とし、前記裏面部は平坦面としてなることを特徴とする葬祭用装飾具。
【請求項２】
請求項１において、前記裏面部には両面粘着テープが装着されてなることを特徴とする葬祭用装飾具。
【請求項３】
請求項１又は２において、前記裏面部は花菓子台に貼着されてなることを特徴とする葬祭用装飾具。
【請求項４】
請求項１又は２において、前記裏面部が棺桶に貼着されてなることを特徴とする葬祭用装飾具。
【考案の詳細な説明】
【技術分野】
【０００１】
本考案は、葬祭用具、特に祭壇の花菓子又は棺桶を装飾するための人造の花，草，木を簡易且つ迅速に装着することができる葬祭用装飾具に関する。
【背景技術】
【０００２】
従来、葬祭において、葬祭用具、特に棺桶の周囲に人造の花（造花）が供えられることが、慣習的に行われている。この種のものとして、たとえば特許文献１が存在する。
【先行技術文献】
【特許文献】
【０００３】
【特許文献１】特開２００３−７９６８１
【考案の概要】
【考案が解決しようとする課題】
【０００４】
この特許文献１によれば、棺桶の蓋に枠が備えられ、この枠に、略扁平直方体状の花差しが装着されているものである。つまり、花の装飾を行うために、棺桶とは別の部材である枠体が必要となる。そのために、棺桶等の葬祭用具を花による装飾を行うと、作業に手間がかかり、このようなことが葬祭費用の上昇となり、喪主等の遺族に金銭的な負担がかかる。
【０００５】
また、花の配列の様式も、造花のみでは設定することができず、別の枠体の増加の装着用孔の配列状態に係わってくるものであり、花の配列のバリエーションが極めて限定されたものとなってしまう。そこで、本考案の目的（解決しようとする技術的課題）は、人造の花，草又は木等を棺桶等の葬祭用具に極めて簡単に装着することができるようにすることにある。
【課題を解決するための手段】
【０００６】
そこで、考案者は、上記課題を解決すべく、鋭意、研究を重ねた結果、請求項１の考案を、発泡合成樹脂にて形成され、且つ表面部と裏面部とからなり、前記表面部は所定の厚さを有する立体状の花形又は草形とし、前記裏面部は平坦面としてなる葬祭用装飾具としたことにより、上記課題を解決した。
【０００７】
請求項２の考案を、請求項１において、前記裏面部には両面粘着テープが装着されてなる葬祭用装飾具と上記課題を解決した。請求項３の考案を、請求項１又は２において、前記裏面部は花菓子台に貼着されてなる葬祭用装飾具としたことにより、上記課題を解決した。請求項４の考案を、請求項１又は２において、前記裏面部が棺桶に貼着されてなる葬祭用装飾具としたことにより、上記課題を解決した。
【考案の効果】
【０００８】
請求項１の考案では、葬祭用具を極めて簡単に花，草模様とした装飾を極めて容易に施すことができる。また、本考案における葬祭用装飾具は、合成樹脂にて形成されたものであり、数回にわたって再使用ができるので、葬祭費用の低減にも寄与することができる。また、合成樹脂にて形成されるため成形型により大量に製造することができ、１個当たりの価格をより一層低く抑えることができる。また、合成樹脂により形成されるので、その花形又は草形の形状は自由に選定することができる。
【０００９】
請求項２の発明では、装飾具の裏面部には両面粘着テープが装着されることにより、葬祭用具への装着がより一層簡単にできる。請求項３の考案では、装飾具の裏面部が花菓子台に貼着されることにより、花菓子を簡単に製造することができる。請求項４の考案では、装飾具の裏面部が棺桶の本体や蓋体にに貼着されることにより、棺桶の花又は草に模した装飾を容易に施すことができる。
【図面の簡単な説明】
【００１０】
【図１】（Ａ）は本考案の花形に形成された葬祭用装飾具の斜視図、（Ｂ）は（Ａ）の縦断側面図、（Ｃ）は別の花形に形成された葬祭用装飾具の斜視図、（Ｄ）は（Ｃ）の縦断側面図、（Ｅ）は草形に形成された葬祭用装飾具の斜視図、（Ｆ）は（Ｅ）の縦断側面図である。
【図２】（Ａ）は本考案における葬祭用装飾具を花菓子台に装着した正面図、（Ｂ）は（Ａ）のＸ1―Ｘ1矢視断面図、（Ｃ）は花菓子台の菓子飾り台に葬祭用装飾具を装着しようとうする斜視図である。
【図３】（Ａ）は本考案の葬祭用装飾具を棺桶の蓋体に装着した平面図、（Ｂ）は本考案の葬祭用装飾具を棺桶の横側板に装着した側面図、（Ｃ）は本考案の葬祭用装飾具を棺桶の縦側板に装着した側面図、（Ｄ）は棺桶の横側板に別の配列パターンにて装着した側面図、（Ｅ）は棺桶の横側板にさらに別の配列パターンにて装着した側面図である。
【考案を実施するための形態】
【００１１】
以下、本考案の実施形態を図面に基づいて説明する。本考案に葬祭用装飾具Ａは、棺桶等の葬祭（葬儀用具）に簡易且つ迅速に装着することができるものであり、装飾するための器具である。葬祭用装飾具Ａは、合成樹脂等によって、形成されるものである。材質である合成樹脂は、具体的には、発泡合成樹脂材であって、たとえば発泡スチロールである。この合成樹脂材によって、花形，草形又は木形状等に形成されたものである。
【００１２】
葬祭用装飾具Ａには、表面部１と裏面部２とから構成される。表面部１は、花形状，草形状等に形成されている。裏面部２は、平坦面に形成され、花菓子台３や棺桶４等の葬祭用具に貼着し易い構成としている。表面部１は、所定の厚さを有して、立体状の花形〔図１（Ａ），（Ｃ）参照〕又は草形〔図１（Ｅ）参照〕に形成される。また、花形又は草形の形状とした表面部１において、人形等のキャラクタ又は動物，鳥（鳳凰）又は仏像等の立体形状が一体的に形成されることもある。なお、葬祭を行う宗派によっては、表面部１に経文等を描くこともある。
【００１３】
裏面部２には、葬祭用具に貼着するための両面粘着テープ２１が装着されている〔図１（Ｂ），（Ｄ），（Ｅ）参照〕。両面粘着テープ２１の一方側の面は、裏面部２に貼着され、他方側の面には、剥離紙が設けられ、後述する葬祭用具に貼着するときに剥離紙を剥がして使用する。
【００１４】
本考案における葬祭用装飾具Ａは、従来、花形状の最中菓子の皮に模したものが使用されていたが、これを発泡合成樹脂で擬似的に形成したものである。これによって、葬祭用具、特に花菓子台３や棺桶４に所望の配列にて装飾することができる。花菓子台３には、本考案の葬祭用装飾具Ａを貼着することで、花菓子として使用される。該花菓子は、葬儀において、祭壇に供え、納骨時に、墓地に収めるものである。
【００１５】
本考案の葬祭用装飾具Ａが花菓子台３に装着される構成を説明する。花菓子台３は、図２（Ａ）に示すように、台座３１の上方に菓子飾り台３２が載置固着されたものである。台座３１は、木製で、略正方形状の板状部３１ａの４箇所の角部付近に脚部３１ｂ，３１ｂ，…が装着されている〔図２（Ｂ）参照〕。また、菓子飾り台３２は、多角形状の角柱に形成されたものであり〔図２（Ｂ）参照〕、その正面、右側面及び左側面のそれぞれの面に本考案の装着具が貼着される〔図２（Ａ）乃至（Ｃ）参照〕。
【００１６】
菓子飾り台３２は、合成発泡樹脂製又は木製である。葬祭用装飾具Ａの菓子飾り台３２への、配置パターンは、適宜に設定されるものであり、それぞれ異なる形状の葬祭用装飾具Ａ（花形や草形）を織り交ぜて、互い違いに装着したり〔図２（Ａ）参照〕、或いは、特に図示しないが、同一形状（例えば全部を花形としたり、又は草形とする）の葬祭用装飾具Ａのみとしてもよい。
【００１７】
次に、本考案における葬祭用装飾具Ａを棺桶４の装飾に使用する場合について説明する（図３参照）。棺桶４は、本体４１及び蓋体４２から構成されており、本体４１は、横側板４１a，縦側板４１ｂの外面に本考案の葬祭用装飾具Ａが貼着される。多数の葬祭用装飾具Ａは、横側板４１a及び縦側板４１ｂに均一間隔で且つ上下左右の規則的な配列としている。
【００１８】
また、葬祭用装飾具Ａは、横側板４１a及び縦側板４１ｂに略半円形状の範囲内に葬祭用装飾具Ａを密集するようにして配列されることもある。さらに、葬祭用装飾具Ａは、通常の大きさよりも、形状の大きなものとして横側板４１a及び縦側板４１ｂに貼着されることもある。蓋体４２に対する配列パターンも同様である。
【００１９】
また、葬祭用装飾具Ａ，Ａ，…の配列パターンとして、半円状の範囲内に葬祭用装飾具Ａが略不規則状態に配列されることもある〔図３（Ｄ）参照〕。さらに、本考案の葬祭用装飾具Ａは、サイズを通常のものよりも大きめにして、大形としたタイプを備え、通常のサイズのものと一緒に装着することもある〔図３（Ｅ）参照〕。
【００２０】
本考案の葬祭用装飾具Ａは、前述したように、裏面部２に両面粘着テープ２１が装着されており、該両面粘着テープ２１を介して花菓子台３又は棺桶４に貼着するものであるが、両面粘着テープ２１を使用しないで、接着剤（糊も含む）を使用して接着してもかまわない。この場合には、葬祭用装飾具Ａの裏面部２は、単に平坦面に形成されているのみでよい。本考案の葬祭用装飾具Ａは、原材料となる合成樹脂（発泡合成樹脂）に予め適宜に色を付けておくことで、花菓子台３及び棺桶４を美しく装飾することができる。
【符号の説明】
【００２１】
Ａ…葬祭用装飾具、１…表面部、２…裏面部、２１…両面粘着テープ、３…花菓子台、３１…台座、３２…菓子飾り台、４…棺桶、４１…本体、４１ａ…横側板、
４１ｂ…縦側板。
【図１】
0003168679.tif 000003
【図２】
0003168679.tif 000004
【図３】
0003168679.tif 000005